(57)【要約】  【課題】遊技媒体貸出装置の数や遊技媒体貸出装置の増設に容易に対応でき、複数の遊技媒体貸出装置を１箇所で管理できる遊技媒体貸出システムの管理装置12を提供する。  【解決手段】管理装置12は、ベースユニット21と、ベースユニット21に接続可能とする増設ユニットとに分割する。ベースユニット21および増設ユニット22とも、複数の遊技媒体貸出装置を接続する通信ポート38を備える。遊技店の遊技媒体貸出装置の数や遊技媒体貸出装置の増設に応じて、ベースユニット21を単体で使用したり、ベースユニット21と１つまたは複数の増設ユニット22とを組み合わせて使用する。ベースユニット21は、ベースユニット21に接続している遊技媒体貸出装置を管理するとともに、増設ユニット22を接続している場合には増設ユニット22に接続している遊技媒体貸出装置も管理する。  【選択図】図１
2006247252.tif 000002
【特許請求の範囲】
【請求項１】
遊技媒体貸出装置を接続するベースユニットを備え、このベースユニットに対してこのベースユニットに接続する遊技媒体貸出装置とは別の遊技媒体貸出装置を接続する増設ユニットを増設可能とした遊技媒体貸出システムの管理装置であって、
前記ベースユニットは、
前記遊技媒体貸出装置が接続される通信ポートと、
前記増設ユニットの増設時にその増設ユニットが接続される増設用接続部と、
前記通信ポートに接続されている遊技媒体貸出装置を管理するとともに、前記増設用接続部に増設ユニットが接続されている場合に増設ユニットに接続されている遊技媒体貸出装置を管理する制御部とを備えた
ことを特徴とする遊技媒体貸出システムの管理装置。
【請求項２】
ベースユニットは、制御部を有する制御用基板と、通信ポートおよび増設用接続部を有するとともに制御用基板に接続される上位接続部を有する通信用基板とを備えた
ことを特徴とする請求項１記載の遊技媒体貸出システムの管理装置。
【請求項３】
ベースユニットに接続する遊技媒体貸出装置とは別の遊技媒体貸出装置を接続する増設ユニットを備え、
この増設ユニットは、
前記遊技媒体貸出装置が接続される通信ポートと、
前記ベースユニットおよびこのベースユニットに接続された上位の増設ユニットのいずれかに接続される上位接続部と、
下位側に接続される増設ユニットが接続される増設用接続部と、
自己の増設ユニットの識別情報を設定する識別情報設定部とを備えた
ことを特徴とする請求項１または２記載の遊技媒体貸出システムの管理装置。
【請求項４】
ベースユニットは、このベースユニットおよび増設用接続部を通じて接続された全ての増設ユニットに電源を供給する電源部を備えた
ことを特徴とする請求項１ないし３いずれか記載の遊技媒体貸出システムの管理装置。
【発明の詳細な説明】
【技術分野】
【０００１】
本発明は、複数の遊技媒体貸出装置の情報を管理する遊技媒体貸出システムの管理装置に関する。
【背景技術】
【０００２】
従来、遊技店には複数の遊技島が設置され、各遊技島には、例えばパチンコ機やパチスロ機などの複数の遊技機が並設されるとともに、各遊技機の側部に遊技媒体を貸し出すための台間機と呼ばれる遊技媒体貸出装置が設置されている。
【０００３】
各遊技媒体貸出装置の貸出情報を管理するために、各遊技島に島コントローラを１つずつ設置され、この島コントローラに遊技島の複数の遊技媒体貸出装置が接続され、この島コントローラにより例えば遊技媒体貸出装置で読み取られたカードＩＤおよび貸出金額（度数）などの各種の情報を取得して管理する。さらに、複数の島コントローラはターミナルコントローラに接続され、このターミナルコントローラにより複数の島コントローラから情報を取得して管理する（例えば、特許文献１参照。）。
【特許文献１】特開２００２−３０１２６０号公報（第４、７頁、図１）
【発明の開示】
【発明が解決しようとする課題】
【０００４】
しかしながら、遊技島毎に島コントローラを設置するため、遊技店の規模が大きく、遊技島の数が多い場合には、多数の島コントローラを設置しなければならず、また、遊技店の改装などで遊技島を増設した場合にも、増設した遊技島に島コントローラを設置しなければならない問題がある。
【０００５】
また、遊技島毎の遊技媒体貸出装置を島コントローラで管理し、複数の島コントローラをターミナルコントローラで管理するため、例えば、遊技媒体貸出装置との通信断絶などの不具合が発生した場合には、ターミナルコントローラで島コントローラを特定し、島コントローラで遊技媒体貸出装置を特定することになり、複数の遊技媒体貸出装置をターミナルコントローラの１箇所で管理できず、管理が効率的でない問題がある。
【０００６】
本発明は、このような点に鑑みなされたもので、遊技店の規模に容易に対応できるとともに遊技媒体貸出装置の増設にも容易に対応でき、しかも、複数の遊技媒体貸出装置を１箇所で管理でき、管理の効率化を図ることができる遊技媒体貸出システムの管理装置を提供することを目的とする。
【課題を解決するための手段】
【０００７】
請求項１記載の遊技媒体貸出システムの管理装置は、遊技媒体貸出装置を接続するベースユニットを備え、このベースユニットに対してこのベースユニットに接続する遊技媒体貸出装置とは別の遊技媒体貸出装置を接続する増設ユニットを増設可能とした遊技媒体貸出システムの管理装置であって、前記ベースユニットは、前記遊技媒体貸出装置が接続される通信ポートと、前記増設ユニットの増設時にその増設ユニットが接続される増設用接続部と、前記通信ポートに接続されている遊技媒体貸出装置を管理するとともに、前記増設用接続部に増設ユニットが接続されている場合に増設ユニットに接続されている遊技媒体貸出装置を管理する制御部とを備えたものである。
【０００８】
そして、遊技媒体貸出装置を接続するベースユニットを備え、このベースユニットに対してこのベースユニットに接続する遊技媒体貸出装置とは別の遊技媒体貸出装置を接続する増設ユニットを増設可能としたことにより、遊技店の規模の大小に容易に対応可能となるとともに遊技媒体貸出装置の増設にも容易に対応可能となり、しかも、複数の遊技媒体貸出装置をベースユニットの１箇所で管理し、管理の効率化が図れる。
【０００９】
請求項２記載の遊技媒体貸出システムの管理装置は、請求項１記載の遊技媒体貸出システムの管理装置において、ベースユニットは、制御部を有する制御用基板と、通信ポートおよび増設用接続部を有するとともに制御用基板に接続される上位接続部を有する通信用基板とを備えたものである。
【００１０】
そして、ベースユニットの制御用基板と通信用基板とを分離することにより、通信用基板を増設ユニットと共通化することが可能となる。
【００１１】
請求項３記載の遊技媒体貸出システムの管理装置は、請求項１または２記載の遊技媒体貸出システムの管理装置において、ベースユニットに接続する遊技媒体貸出装置とは別の遊技媒体貸出装置を接続する増設ユニットを備え、この増設ユニットは、前記遊技媒体貸出装置が接続される通信ポートと、前記ベースユニットおよびこのベースユニットに接続された上位の増設ユニットのいずれかに接続される上位接続部と、下位側に接続される増設ユニットが接続される増設用接続部と、自己の増設ユニットの識別情報を設定する識別情報設定部とを備えたものである。
【００１２】
そして、増設ユニットをベースユニットに増設することにより、遊技店の規模や遊技媒体貸出装置の増設に容易に対応可能となり、しかも、増設ユニットが備えた識別情報設定部で自己の増設ユニットの識別情報を設定することにより、複数の増設ユニットを増設しても、各増設ユニットおよび各増設ユニットに接続された遊技媒体貸出装置を特定可能となる。
【００１３】
請求項４記載の遊技媒体貸出システムの管理装置は、請求項１ないし３いずれか記載の遊技媒体貸出システムの管理装置において、ベースユニットは、このベースユニットおよび増設用接続部を通じて接続された全ての増設ユニットに電源を供給する電源部を備えたものである。
【００１４】
そして、ベースユニットが、このベースユニットおよび増設用接続部を通じて接続された全ての増設ユニットに電源を供給する電源部を備えることにより、増設ユニットは電源部を備えずに済み、増設ユニットの構成が簡略化される。
【発明の効果】
【００１５】
請求項１記載の遊技媒体貸出システムの管理装置によれば、遊技媒体貸出装置を接続するベースユニットを備え、このベースユニットに対してこのベースユニットに接続する遊技媒体貸出装置とは別の遊技媒体貸出装置を接続する増設ユニットを増設可能としたことにより、遊技店の規模の大小に容易に対応できるとともに遊技媒体貸出装置の増設にも容易に対応でき、しかも、複数の遊技媒体貸出装置をベースユニットの１箇所で管理でき、管理の効率化を図ることができる。
【００１６】
請求項２記載の遊技媒体貸出システムの管理装置によれば、請求項１記載の遊技媒体貸出システムの管理装置の効果に加えて、ベースユニットの制御用基板と通信用基板とを分離することにより、通信用基板を増設ユニットと共通化できる。
【００１７】
請求項３記載の遊技媒体貸出システムの管理装置によれば、請求項１または２記載の遊技媒体貸出システムの管理装置の効果に加えて、増設ユニットをベースユニットに増設することにより、遊技店の規模や遊技媒体貸出装置の増設に容易に対応でき、しかも、増設ユニットが備えた識別情報設定部で自己の増設ユニットの識別情報を設定することにより、複数の増設ユニットを増設しても、各増設ユニットおよび各増設ユニットに接続された遊技媒体貸出装置を特定できる。
【００１８】
請求項４記載の遊技媒体貸出システムの管理装置によれば、請求項１ないし３いずれか記載の遊技媒体貸出システムの管理装置の効果に加えて、ベースユニットが、このベースユニットおよび増設用接続部を通じて接続された全ての増設ユニットに電源を供給する電源部を備えることにより、増設ユニットは電源部を備えずに済み、増設ユニットの構成を簡略化できる。
【発明を実施するための最良の形態】
【００１９】
以下、本発明の一実施の形態を図面を参照して説明する。
【００２０】
遊技店には規模に応じて複数の遊技島が設置され、各遊技島には、例えばパチンコ機やパチスロ機などの遊技機が複数並設されるとともに、各遊技機の側部に例えばパチンコ玉やメダルなどの遊技媒体の貸し出しを制御する台間機である遊技媒体貸出装置が配設されている。
【００２１】
図９には遊技媒体貸出システムのブロック図を示す。
【００２２】
11は遊技媒体貸出装置で、この遊技媒体貸出装置11は、遊技店の遊技島２に複数並設された例えばパチンコ機やパチスロ機などの各遊技機（遊技台）毎に設置され、遊技客から紙幣や硬貨などの貨幣を受け付けたり貨幣価値を有するカードを受け付けて、遊技媒体を貸し出す。遊技媒体貸出装置11は、遊技機と通信可能に接続され、貸出遊技媒体の投出を遊技機に対して指示する所謂ＣＲユニットである。貸出遊技媒体は、遊技機から払い出される。
【００２３】
また、12は管理装置で、この管理装置12は、遊技店に設置される全ての遊技媒体貸出装置11の情報を管理する店コントローラであり、この管理装置12には複数であって例えば８つの通信ラインの接続が可能であるとともに、各通信ラインには複数であって例えば最大３１台の遊技媒体貸出装置11が直列に接続可能としている。そして、管理装置12は、各通信ラインの各遊技媒体貸出装置11から送信される遊技媒体貸出処理時における売上情報や、カードＩＤおよび貸出金額（度数）などの各種の情報を取得して管理する。
【００２４】
管理装置12は、ハブ13を介して、操作端末14およびカード管理センタ15に接続されている。操作端末14は、遊技店の景品管理カウンターに設置され、景品交換処理の景品管理機として兼用され、管理装置の操作部および表示部として機能する。カード管理センタ15は、カードＩＤおよび貸出金額（度数）などを管理する。
【００２５】
図１には管理装置のブロック図、図２には管理装置のベースユニットおよび増設ユニットの斜視図、図３には管理装置のベースユニットに複数の増設ユニットを増設した斜視図を示す。
【００２６】
管理装置12は、制御機能および通信機能を有するベースユニット21と、通信機能を有する増設ユニット22とを有し、ベースユニット21が基本として用いられ、遊技店の規模や遊技媒体貸出装置11の増設に応じて１台または複数台の増設ユニット22が用いられる。
【００２７】
ベースユニット21は、箱形のケース25を有し、このケース25内には、図４に示すように、制御機能部26と通信用基板27とが収容されている。
【００２８】
図１および図４に示すように、制御機能部26は、ＣＰＵによって構成される制御部28を有する制御用基板29、管理装置12の状態を表示する表示部30、遊技媒体貸出装置11の設定やベースユニット21の設定などをする操作部31、制御用基板29上にあって制御部28で保管される情報のバックアップやバージョンアップのために着脱可能なメモリ媒体で構成される記憶部32、ベースユニット21や増設された全ての増設ユニット22に電源を供給する電源部33、制御用基板29上にあって通信用基板27と接続する接続用コネクタ34、制御用基板29上にあってハブ13を通じて上位機器に接続される上位通信部35などを備えている。
【００２９】
図１および図５に示すように、通信用基板27には、複数であって例えば最大で３１台の遊技媒体貸出装置11を直列接続した各通信ラインが接続される複数であって例えば８つの通信ポート38、制御用基板29に接続される上位接続部としての接続用コネクタ39、増設ユニット22が接続される増設用接続部としての接続用コネクタ40、自己の通信用基板27の識別情報を設定する識別情報設定部としての設定用スイッチ41が配設されている。これら通信ポート38、接続用コネクタ39、接続用コネクタ40、設定用スイッチ41は、通信用基板27の周縁部に配置されている。
【００３０】
ケース25の上面に臨んで表示部30および操作部31が視認可能および操作可能に配置されている。ケース25の一側面には、記憶部32のメモリ媒体が着脱可能に配置され、上位通信部35および通信ポート38が接続ケーブルを接続可能に配置されている。ケース25の他側面には、図７に示すように、凹部44が形成され、この凹部44に通信用基板27の接続用コネクタ39および接続用コネクタ40が接続ケーブルを接続可能に配置されている。また、図３に示すように、ケース25の一端面には、設定用スイッチ41が操作可能に臨む操作孔45が形成されている。図２および図４に示すように、ケース25の他端面には、管理装置12の電源をオンオフする電源スイッチ46、過電流から回路を保護するヒューズボックス47、電源線を接続する電源コネクタ48が配置されている。また、ケース25の上面には操作部31を覆ってカバー49が着脱可能に取り付けられている。
【００３１】
また、図２、図３、図６、図７に示すように、増設ユニット22は、ベースユニット21のケース25の底面形状に一致するとともにそのケース25より薄形に形成された箱形のケース51を有している。このケース51内に、ベースユニット21の通信用基板27と同じ通信用基板27が収容されている。ケース51の一側面には上位通信部35および通信ポート38が接続ケーブルを接続可能に配置され、ケース51の他側面には凹部52が形成され、この凹部52に接続用コネクタ39および接続用コネクタ40が接続ケーブルを接続可能に配置され、ケース51の一端面には設定用スイッチ41が操作可能に臨む操作孔45が形成されている。
【００３２】
図７に示すように、増設ユニット22を増設する場合には、ベースユニット21と増設ユニット22とを重ね合わせ、これらの他側面に固定用ブラケット53をねじ止めすることにより、ベースユニット21と増設ユニット22とを連結固定できる。
【００３３】
ベースユニット21の下側に増設された増設ユニット22を１段目とし、さらに、この１段目の増設ユニット22の下側に２段目、３段目というように複数の増設ユニット22を増設できる。
【００３４】
また、図８に示すように、設定用スイッチ41は、ロータリースイッチ56で構成され、プラスドライバーなどの工具で回動操作可能とする切換部57を有し、この切換部57を１、２、３…Ｆと表示された各切換位置に切り換えることにより、通信用基板27に固有の識別情報を設定することができる。例えば、ベースユニット21の通信用基板27の設定用スイッチ41は工場出荷時に０の切換位置に設定され、１段目の増設ユニット22の通信用基板27の設定用スイッチ41は１の切換位置に設定され、以降、２段目は２の切換位置、３段目は３の切換位置というように異なる切換位置に設定され、各通信用基板27が固有の識別情報を有するように設定される。
【００３５】
そして、ベースユニット21の制御部28は、このベースユニット21の通信ポート38に接続されている遊技媒体貸出装置11を管理するとともに、ベースユニット21に増設ユニット22が増設されている場合に増設ユニット22の通信ポート38に接続されている遊技媒体貸出装置11を管理する機能を有している。
【００３６】
次に、管理装置12の作用を説明する。
【００３７】
管理装置12のベースユニット21および増設ユニット22には、１つの通信ポート38に対して最大３１台までの遊技媒体貸出装置11が接続とした場合、８つの通信ポート38に対して最大２４８台までの遊技媒体貸出装置11が接続可能である。
【００３８】
管理装置12を設置する場合には、遊技媒体貸出装置11が２４８台（３１台×８ライン）までの遊技店であればベースユニット21のみを設置し、遊技媒体貸出装置11が２４９〜４９６台（３１台×１６ライン）までの遊技店であればベースユニット21に１台の増設ユニット22を増設して設置し、遊技媒体貸出装置11が４９７〜７４４台（３１台×２４ライン）までの遊技店であればベースユニット21に２台の増設ユニット22を増設して設置するというように、遊技媒体貸出装置11が台数に応じて増設ユニット22を増設して設置すればよい。このように、ｎ台の増設ユニット22を増設すれば、最大で〔３１台×（ｎ＋１）ライン〕台の遊技媒体貸出装置11まで接続することができる。
【００３９】
ベースユニット21のみを設置した場合には、このベースユニット21の各通信ポート38に複数の遊技媒体貸出装置11を接続した通信ラインをそれぞれ接続する。
【００４０】
そして、ベースユニット21の制御部28は、ベースユニット21の各通信ポート38に接続された各遊技媒体貸出装置11から送信される遊技媒体貸出処理時における各種の情報を取得し、その情報を上位機器の操作端末14およびカード管理センタ15に送信する。
【００４１】
また、ベースユニット21に１台または複数台の増設ユニット22を増設して設置する場合には、ベースユニット21の接続用コネクタ40または上位の増設ユニット22の接続用コネクタ40に下位の増設ユニット22の接続用コネクタ39を接続ケーブルで電気的に接続し、ベースユニット21のケース25または上位の増設ユニット22のケース51に下位の増設ユニット22のケース52を固定用ブラケット53で結合固定する。増設した増設ユニット22は、設定用スイッチ41を増設段数目に合わせて設定し、固有の識別情報を付与する。
【００４２】
ベースユニット21の接続用コネクタ40または上位の増設ユニット22の接続用コネクタ40に下位の増設ユニット22の接続用コネクタ39を接続ケーブルで電気的に接続することにより、ベースユニット21と接続された全ての増設ユニット22とが通信可能になるとともに、ベースユニット21の電源部33から全ての増設ユニット22に電源が供給される。
【００４３】
ベースユニット21の各通信ポート38および増設ユニット22の各通信ポート38に複数の遊技媒体貸出装置11を接続した通信ラインをそれぞれ接続する。
【００４４】
そして、ベースユニット21の制御部28は、ベースユニット21の各通信ポート38および増設ユニット22の各通信ポート38にそれぞれ接続された各遊技媒体貸出装置11から送信される遊技媒体貸出処理時における各種の情報を取得し、その情報を上位機器の操作端末14およびカード管理センタ15に送信する。
【００４５】
また、遊技店の改装などで、遊技媒体貸出装置11の数が増加し、現在の管理装置12（ベースユニット21単体、ベースユニット21と増設ユニット22の組み合わせ）では、接続可能とする台数が不足する場合には、上述したように、必要な数の増設ユニット22を増設することで容易に対応できる。
【００４６】
このように、遊技媒体貸出装置11を接続するベースユニット21を備え、このベースユニット21に対してこのベースユニット21に接続する遊技媒体貸出装置11とは別の遊技媒体貸出装置11を接続する増設ユニット22を増設可能としたことにより、遊技店の規模の大小に容易に対応できるとともに遊技媒体貸出装置11の増設にも容易に対応できる。
【００４７】
しかも、複数の遊技媒体貸出装置11をベースユニット21の１箇所で管理できるようになり、例えば、遊技媒体貸出装置11との通信断絶などの不具合が発生した場合でも、不具合の発生した遊技媒体貸出装置11を特定でき、管理の効率化を図ることができる。
【００４８】
また、ベースユニット21の制御用基板29と通信用基板27とを分離することにより、ベースユニット21の通信用基板27を増設ユニット22の通信用基板27と共通化できる。
【００４９】
また、増設ユニット22をベースユニット21に増設することにより、遊技店の規模や遊技媒体貸出装置11の増設に容易に対応でき、しかも、増設ユニット22が備えた設定用スイッチ41で自己の増設ユニット22の識別情報を設定することにより、複数の増設ユニット22を増設しても、各増設ユニット22および各増設ユニット22に接続された遊技媒体貸出装置11を特定できる。
【００５０】
また、ベースユニット21が、ベースユニット21およこのベースユニット21に接続された全ての増設ユニット22に電源を供給する電源部33を備えることにより、増設ユニット22は電源部33を備えずに済み、増設ユニット22の構成を簡略化できる。
【００５１】
なお、上記実施の形態においては、遊技媒体貸出装置として所謂ＣＲユニットを例に挙げたが、遊技媒体貸出装置自体が遊技媒体投出機構を備え、貸出遊技媒体を払い出す装置を接続してもよい。
【図面の簡単な説明】
【００５２】
【図１】本発明の一実施の形態を示す遊技媒体貸出システムの管理装置のブロック図である。
【図２】同上管理装置のベースユニットおよび増設ユニットの斜視図である。
【図３】同上管理装置のベースユニットに複数の増設ユニットを増設した斜視図である。
【図４】同上管理装置のベースユニットの内部構造を示す斜視図である。
【図５】同上管理装置のベースユニットの通信用基板の斜視図である。
【図６】同上管理装置の増設ユニットの内部構造を示す斜視図である。
【図７】同上管理装置のベースユニットと増設ユニットとの取付方法を示す斜視図である。
【図８】同上管理装置の識別情報設定部を示す正面図である。
【図９】同上遊技媒体貸出システムのブロック図である。
【符号の説明】
【００５３】
11    遊技媒体貸出装置
12    管理装置
21    ベースユニット
22    増設ユニット
27    通信用基板
28    制御部
29    制御用基板
33    電源部
38    通信ポート
39    上位接続部としての接続用コネクタ
40    増設用接続部としての接続用コネクタ
41    識別情報設定部としての設定用スイッチ
【図１】
2006247252.tif 000003
【図２】
2006247252.tif 000004
【図３】
2006247252.tif 000005
【図４】
2006247252.tif 000006
【図５】
2006247252.tif 000007
【図６】
2006247252.tif 000008
【図７】
2006247252.tif 000009
【図８】
2006247252.tif 000010
【図９】
2006247252.tif 000011